【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
ソフトウェア無線を備えた計算機であって、
ネットワーク・インターフェースと、
少なくとも１つのプロセッサーと、を含み、
前記少なくとも１つのプロセッサーは、
少なくとも１つのネットワーク・アクセス・サービスを表す第１のアイコンと、テレビジョン・サービス及び／又はラジオ・サービスを含む少なくとも１つのメディア・サービスを表す第２のアイコンとを含んだユーザー・インターフェースを発生し、
前記ユーザー・インターフェースを通じて前記第１のアイコン及び／又は前記第２のアイコンの選択指示を受け取り、
前記選択されたタイプのサービスを使用するように前記ソフトウェア無線を構成するための無線プロファイルを、リモート・データー・ストアから前記計算機の現在地に基づいて取得し、
前記選択されたタイプのサービスの使用を可能にするように前記取得された無線プロファイルによって前記無線ハードウェアを構成し、
前記第１のアイコンの選択に応答して、前記ユーザー・インターフェースを通じて前記少なくとも１つのネットワーク・アクセス・サービスに対応する選択肢を提示し、
前記第２のアイコンの選択に応答して、前記選択されたメディア・サービスにアクセスするための前記ソフトウェア無線の構成に関する情報、及び／又は、前記選択されたメディア・サービスからコンテンツの選択を可能にするコンテンツ選択インターフェースを、前記ユーザー・インターフェースを通じて提示する、
ようにプログラムされている、計算機。
【請求項２】
前記無線プロファイルが証明され、前記少なくとも１つのプロセッサーは、前記無線ハードウェアを前記無線プロファイルによって構成する前に、前記無線プロファイルの真正性を検証するように更にプログラムされている、請求項１に記載の計算機。
【請求項３】
前記選択されたタイプのサービスのプロバイダーから受信されたオーディオ・コンテンツを再生するように構成されたオーディオ出力コンポーネントと、
前記選択されたタイプのサービスの前記プロバイダーから受信されたビデオ・コンテンツを表示するように構成されたディスプレイと、
を更に備えた、請求項１に記載の計算機。
【請求項４】
前記選択されたアイコンは前記テレビジョン・サービスを表し、
前記コンテンツ選択インターフェースは複数のテレビジョン・チャネルを表すアイコンを含む、
請求項３に記載の計算機。
【請求項５】
前記計算機の前記現在地はユーザー入力に基づいている、請求項１に記載の計算機。
【請求項６】
前記少なくとも１つのプロセッサーは、
カスタム化されたコンテンツを受信するためのユーザー同意の指示を受け取り、
前記受け取られたユーザー同意の指示に応答して、前記現在地に基づいてカスタム化されたコンテンツを提示する、
ように更にプログラムされている、請求項１に記載の計算機。
【請求項７】
前記少なくとも１つのプロセッサーは、
複数の位置判定サービスの中から優先位置判定サービスを特定して前記優先位置判定サービスを用いることによって、前記計算機の前記現在地を判定するように更にプログラムされている、請求項１に記載の計算機。
【請求項８】
前記複数の位置判定サービスのうちのそれぞれのサービスは優先順位を割り当てられ、
前記プロセッサーは、前記割り当てられた優先順位に基づく順に前記位置判定サービスの少なくとも２つを順次利用することによって前記現在地を判定するように更にプログラムされている、
請求項７に記載の計算機。
【請求項９】
前記複数の位置判定サービスは、
ナビゲーション衛星からのデータに基づいて前記現在地の判定を可能にする衛星ナビゲーション・サービスと、
前記計算機が現在接続されているネットワーク上のネットワーク位置から前記現在地の判定を可能にするネットワーク位置サービスと、
ワイヤレス・ネットワークによってブロードキャストされるビーコン内にエンコードされている国コードに基づいて前記現在地の判定を可能にするビーコン信号分析サービスと、
セルラ三角測量に基づいて前記現在地の判定を可能にするセルラ基地局サービスと、
のうちの少なくとも１つを含む、請求項７に記載の計算機。
【請求項１０】
ワイヤレス・ネットワーク・インターフェースを有する計算機上においてコンテンツを提示する方法であって、
少なくとも１つのネットワーク・アクセス・サービスを表す第１のアイコンと、テレビジョン・サービス及び／又はラジオ・サービスを含む少なくとも１つのメディア・サービスを表す第２のアイコンとを含んだユーザー・インターフェースを提供するステップと、
前記計算機において前記第１のアイコン及び／又は前記第２のアイコンの選択指示を受け取るステップと、
前記計算機から通信プロファイルの要求を送信するステップと、
前記計算機においてリモート・データー・ストアから特定の通信プロファイルを受信するステップであって、前記特定の通信プロファイルは、前記計算機の位置に少なくとも部分的に基づいて提供され、前記計算機の前記位置における前記選択されたタイプのサービスに関連するワイヤレス規格にしたがって前記計算機を動作させるのに適している、ステップと、
前記特定の通信プロファイルによって、前記計算機を前記選択されたタイプのサービスに関連する前記ワイヤレス規格および前記計算機の前記位置にしたがって構成するステップと、
前記第１のアイコンの選択に応答して、前記ユーザー・インターフェースを通じて前記少なくとも１つのネットワーク・アクセス・サービスに対応する選択肢を提示するステップと、
前記第２のアイコンの選択に応答して、前記選択されたメディア・サービスにアクセスするための前記計算機の構成に関する情報、及び／又は、前記選択されたメディア・サービスからコンテンツの選択を可能にするコンテンツ選択インターフェースを、前記ユーザー・インターフェースを通じて提示するステップと、
を含む方法。
【請求項１１】
前記計算機はソフトウェア無線を含み、
前記通信プロファイルは無線プロファイルを含み、
前記計算機を構成するステップは前記無線プロファイルによって前記ソフトウェア無線を構成するステップを含む、請求項１０に記載の方法。
【請求項１２】
複数の位置判定サービスの中から選択された位置判定サービスを用いることによって前記計算機の前記位置を判定するステップを更に備え、
前記複数の位置判定サービスのうちのそれぞれのサービスはそれに割り当てられた対応する優先順位を有し、
前記選択された位置判定サービスは前記割り当てられた優先順位に少なくとも部分的に基づいて選択される、
請求項１０に記載の方法。
【請求項１３】
前記選択されたメディア・サービスを通じて利用可能なコンテンツを表すアイコンを含む前記コンテンツ選択インターフェースを、前記ユーザー・インターフェースを通じて提示するステップと、
前記コンテンツ選択インターフェースを通じてコンテンツの選択指示を受け取るステップと、
前記選択されたコンテンツを提示するステップと、
を更に含む、請求項１０に記載の方法。
【請求項１４】
前記計算機の有線ネットワーク接続を介して受信された情報に基づいて前記計算機の前記位置を判定するステップを更に含む、請求項１０に記載の方法。
【請求項１５】
前記計算機の前記位置を判定するステップは、既知の位置に存在している他の計算機の他のネットワーク位置に対する前記計算機のネットワーク位置に基づいて前記位置を判定するステップを含む、請求項１４に記載の方法。